(57)【要約】  シートボトムと、シートボトムに旋回可能に取り付けられたシートバックと、シートボトムに旋回可能に取り付けられる伸長可能で角度展開可能なレッグレストと、を備え、レッグレストは、シートボトムに旋回可能に取り付けられるレッグレストレール、レッグレストレール上で動かされる移動式のクッションアセンブリと、レッグレストレールに沿って移動するようにクッションアセンブリを駆動するために配置されたラックアンドピニオン機構と、レッグレストの角度運動に応答して、ラックアンドピニオン機構を作動させるように配置され、シートボトムに旋回可能に取り付けられたタイミングリンクを備える、航空機乗客用座席。
2017511273.tif 000002
【特許請求の範囲】
【請求項１】
シートボトムと、
前記シートボトムに旋回可能に取り付けられたシートバックと、
前記シートボトムに旋回可能に取り付けられる伸長可能で角度展開可能なレッグレストと、を備え、
前記レッグレストは、
（ｉ）  前記シートボトムに旋回可能に取り付けられたレッグレストレールと、
（ｉｉ）  前記レッグレストレール上で動かされる移動式のクッションアセンブリと、
（ｉｉｉ）  前記レッグレストレールに沿って移動するようにクッションアセンブリを駆動するために配置されたラックアンドピニオン機構と、
（ｉｖ）  前記レッグレストの角度運動に応答して、前記ラックアンドピニオン機構を作動させるように配置された前記シートボトムに旋回可能に取り付けられたタイミングリンクと、を備える、航空機乗客用座席。
【請求項２】
前記レッグレストが角度展開することで、前記クッションアセンブリが前記シートボトムから離れるように駆動して前記レッグレストの長さを伸長するように、前記タイミングリンクが前記ラックアンドピニオン機構を作動させる、請求項１に記載の航空機乗客用座席。
【請求項３】
前記ラックアンドピニオン機構が、
前記クッションアセンブリに固定された外側の歯付きラックと、
１つの前記レッグレストレールに沿って摺動可能であるとともに前記タイミングリンクの一方の端部に旋回可能に取り付けられた内側の歯付きラックと、
前記外側の歯付きラックと内側の歯付きラックとの間に配置されたピニオンギアであって、前記ピニオンギアの回転によって、前記外側および内側の歯付きラックを互いに反対方向に動かす、ピニオンギアと、を備える、請求項１に記載の航空機乗客用座席。
【請求項４】
前記タイミングリンクが、前記内側の歯付きラックの一側面に位置しているともに水平に向けられたポストの一方の端部に旋回可能に取り付けられている、請求項３に記載の航空機乗客用座席。
【請求項５】
前記シートボトムとレッグレストとの間に配置されたロック用ガススプリングを、さらに備え、
前記レッグレストを収容すると、前記ロック用ガススプリングが圧縮され、かつ、前記レッグレストを展開すると、前記ロック用ガススプリングが伸長される、請求項１に記載の航空機乗客用座席。
【請求項６】
前記シートボトムへの前記レッグレストレールのピボット取付点が、前記シートボトムへの前記タイミングリンクのピボット取付点から離間している、請求項１に記載の航空機乗客用座席。
【請求項７】
前記クッションアセンブリが、離間したフレーム部材の頂部に担持されるクッションと、前および後の横ビームチューブとを含む、請求項１に記載の航空機乗客用座席。
【請求項８】
前記航空機の乗客用座席が、前記シートバックの後ろ側に位置している固定シェルを備える固定シェル型座席であり、
前記レッグレストは、水平の方へ角度展開する、請求項１に記載の航空機乗客用座席。
【請求項９】
伸長可能で角度展開可能なレッグレストを含む、固定シェル型の航空機乗客用座席であって、
シートボトムと、
前記シートボトムに旋回可能に取り付けられたシートバックと、
前記シートバックの後ろ側に位置している固定シェルと、
前記シートボトムに旋回可能に取り付けられたレッグレストと、を備え、
前記レッグレストは、
（ｉ）  前記シートボトムに旋回可能に取り付けられるレッグレストレールと、
（ｉｉ）  前記レッグレストレール上で動かされる移動式のクッションアセンブリと、
（ｉｉｉ）  前記レッグレストレールに沿って移動するようにクッションアセンブリを駆動するために配置された移動機構と、
（ｉｖ）  レッグレストの角度運動に応答して、前記移動機構を作動させるように配置された前記シートボトムに旋回可能に取り付けられたタイミングリンクと、を備える、航空機乗客用座席。
【請求項１０】
前記レッグレストが角度展開することで、前記クッションアセンブリが前記シートボトムから離れるように駆動して前記レッグレストの長さを伸長するように、前記タイミングリンクが前記移動機構を作動させる、請求項９に記載の航空機乗客用座席。
【請求項１１】
前記移動機構は、ラックアンドピニオン機構であり、
前記移動機構は、
前記クッションアセンブリに固定された外側の歯付きラックと、
１個の前記レッグレストレールに沿って摺動可能であるとともに前記タイミングリンクの一方の端部に旋回可能に取り付けられる内側の歯付きラックと、
前記外側の歯付きラックと内側の歯付きラックとの間に配置されたピニオンギアであって、前記ピニオンギアの回転によって、前記外側および内側の歯付きラックを互いに反対方向に動かす、ピニオンギアと、を備える、請求項９に記載の航空機乗客用座席。
【請求項１２】
前記タイミングリンクが、前記内側の歯付きラックの一側面に位置しているともに水平に向けられたポストの一方の端部に旋回可能に取り付けられている、請求項１１に記載の航空機乗客用座席。
【請求項１３】
前記シートボトムとレッグレストとの間に配置されたロック用ガススプリングを、さらに備え、
前記レッグレストを収容すると、前記ロック用ガススプリングが圧縮され、かつ、前記レッグレストを展開すると、前記ロック用ガススプリングが伸長される、請求項９に記載の航空機乗客用座席。
【請求項１４】
前記シートボトムへの前記レッグレストレールのピボット取付点が、前記シートボトムへの前記タイミングリンクのピボット取付点から離間している、請求項９に記載の航空機乗客用座席。
【請求項１５】
前記クッションアセンブリが、離間したフレーム部材の頂部に担持されるクッションと、前および後の横ビームチューブとを含む、請求項９に記載の航空機乗客用座席。
【発明の詳細な説明】
【技術分野】
【０００１】
本発明は、概して、航空機乗客用座席と共に使用するための伸長可能なレッグレストに関し、より詳細には、レッグレストの角度展開によって駆動されるラックアンドピニオンを用いて展開可能なレッグレストの長さを伸長させるように構成された機構に関する。
【背景技術】
【０００２】
プレミアムおよびビジネスクラスの航空機の乗客用座席は、一般に、快適なリクライニングした座位および水平な睡眠位置を達成するために、リクライニング可能なシートバックおよび展開可能なレッグレストを含む。シートバックがシートバックの後ろに位置している固定シェルに対してある程度までリクライニングする航空機の固定シェル型座席では、レッグレストは、一般に、シートの前側に対して垂直の位置から、床に対してある角度に上昇した位置まで、展開する。フルフラットにできるシートにおいて、レッグレストは、一般に、水平となるまでの全工程において角度展開し、ベッドの一部を形成する。
【０００３】
いずれのシートタイプにおいても、レッグレストを角度調整することだけでなく、足の長い乗客に適応するために長さも伸長できることが望ましい。いくつかのレッグレストは、レッグレストが角度展開するときにシートボトムから離れるように動き、他のレッグレストは、レッグレストの角度展開とは無関係に、伸長し、かつ後退するように構成される。いずれの構成においても、レッグレストの伸長は、一般に、パンタグラフ機構を使用して達成される。パンタグラフ機構は、それらの嵩高性、複雑さ、および重量ゆえに、望ましくなく、およびピンチポイントが生じるのを回避するように注意深く設計する必要もある。また、パンタグラフ機構は、異なる伸長率をもたらすように再構成することが容易ではない。
【０００４】
それゆえ、はさみ状のリンク機構を回避し、異なる伸長率を達成するために容易に再構成され、かつレッグレストの快適さおよび使いやすさを向上させる、コンパクトなレッグレスト伸長設計が必要とされている。
【発明の概要】
【発明が解決しようとする課題】
【０００５】
それゆえ、本発明の目的は、レッグレストが角度展開すると、長さが伸長するレッグレストを提供することにある。
【０００６】
本発明の別の目的は、レッグレストが水平の方向に旋回すると、シートボトムから離れるように動くレッグレストを提供することにある。
【０００７】
本発明のさらなる目的は、レッグレストを収容する力で圧縮し、かつ、レッグレストの展開を支援するように伸長するように配置されたロック用ガススプリングを有するレッグレストを提供することにある。
【０００８】
本発明のさらなる目的は、固定シェル型の航空機乗客用座席に特に好適なレッグレストであって、水平に達しない、床に対してある角度まで展開する、レッグレストを提供することにある。
【０００９】
本発明のさらなる目的は、直立位置からリクライニングした座位までシートボトムと一緒に動くように構成され、かつレッグレストが角度展開するにつれて、シートボトムから離れるように、レッグレストのクッション部分を動かすように配置されたタイミングリンクを備えるレッグレストを提供することにある。
【００１０】
本発明のさらなる目的は、異なる伸長率を簡単に達成するように適合された展開可能および伸長可能なレッグレストアセンブリを提供することにある。
【課題を解決するための手段】
【００１１】
上述のおよび他の目的および利点を達成するために、一実施形態では、本発明は、シートボトムと、シートボトムに旋回可能に取り付けられたシートバックと、シートボトムに旋回可能に取り付けられる伸長可能で角度展開可能なレッグレストと、を備える航空機乗客用座席を提供する。レッグレストは、シートボトムに旋回可能に取り付けられるレッグレストレールと、レッグレストレール上で動かされる移動式のクッションアセンブリと、レッグレストレールに沿って移動するようにクッションアセンブリを駆動するために配置されたラックアンドピニオン機構と、レッグレストの角度運動に応答して、ラックアンドピニオン機構を作動させるように配置されたシートボトムに旋回可能に取り付けられたタイミングリンクと、を備える。
【００１２】
別の態様では、レッグレストの角度展開することで、クッションアセンブリがシートボトムから離れるように駆動してレッグレストの長さを伸長するように、タイミングリンクがラックアンドピニオン機構を作動させてもよい。
【００１３】
別の態様では、ラックアンドピニオン機構は、クッションアセンブリに固定された外側の歯付きラックと、レッグレストレールの一方に沿って摺動可能であるとともにタイミングリンクの一方の端部に旋回可能に取り付けられた内側の歯付きラックと、外側の歯付きラックと内側の歯付きラックとの間に配置されたピニオンギアであって、ピニオンギアの回転によって、外側および内側の歯付きラックを互いに反対方向に動かす、ピニオンギアとを備えてもよい。
【００１４】
別の態様では、タイミングリンクが、前記内側の歯付きラックの一側面に位置しているともに水平に向けられたポストの一方の端部に旋回可能に取り付けられてもよい。
【００１５】
別の態様では、レッグレストは、シートボトムとレッグレストとの間に配置されたロック用ガススプリングを備え、レッグレストを収容すると、ロック用ガススプリングが圧縮され、かつ、レッグレストを展開すると、ロック用ガススプリングが伸長されてもよい。
【００１６】
別の態様では、シートボトムへのレッグレストレールのピボット取付点は、シートボトムへのタイミングリンクのピボット取付点から離間していてもよい。
【００１７】
別の態様では、クッションアセンブリは、離間したフレーム部材の頂部に担持されるクッションと、前および後の横ビームチューブとを含んでもよい。
【００１８】
別の態様では、航空機乗客用座席は、シートバックの後ろ側に位置している固定シェルを備える固定シェル型座席としてもよく、レッグレストは、水平の方へ角度展開してもよい。
【００１９】
別の実施形態によれば、本発明は、伸長可能で角度展開可能なレッグレストを含む、固定シェル型の航空機乗客用座席を提供する。座席は、シートボトムと、シートボトムに旋回可能に取り付けられたシートバックと、シートバックの後ろ側に位置している固定シェルと、シートボトムに旋回可能に取り付けられたレッグレストと、を備える。レッグレストは、シートボトムに旋回可能に取り付けられるレッグレストレールと、レッグレストレール上で動かされる移動式のクッションアセンブリと、レッグレストレールに沿って移動するようにクッションアセンブリを駆動するために配置された移動機構と、レッグレストの角度運動に応答して、移動機構を作動させるように配置されたシートボトムに旋回可能に取り付けられたタイミングリンクと、を備える。
【００２０】
別の態様では、レッグレストが角度展開することで、クッションアセンブリがシートボトムから離れるように駆動してレッグレストの長さを伸長するように、タイミングリンクが移動機構を作動させる。
【００２１】
別の態様では、移動機構はラックアンドピニオン機構としてもよく、移動機構は、クッションアセンブリに固定された外側の歯付きラックと、レッグレストレールの一方に沿って摺動可能であるとともにタイミングリンクの一方の端部に旋回可能に取り付けられる内側の歯付きラックと、外側の歯付きラックと内側の歯付きラックとの間に配置されたピニオンギアであって、ピニオンギアの回転によって、外側および内側の歯付きラックを互いに反対方向に動かす、ピニオンギアと、を備えてもよい。
【００２２】
別の態様では、レッグレストは、水平に達しない角度まで、角度展開してもよい。
【００２３】
本発明の実施形態は、上述の特徴および構成の１つ以上のまたはいずれかの組み合わせを含み得る。
【００２４】
本発明の追加的な特徴、態様および利点は、以下の詳細な説明に記載され、および一部は、その説明から当業者には容易に明白であるか、または本明細書で説明されるように本発明を実施することによって認識される。上述の概要および以下の詳細な説明は双方とも、本発明の様々な実施形態を提示し、および特許請求されるような本発明の性質および特徴を理解するための概略または枠組みを提供するものであることを理解されたい。添付図面は、本発明をさらなる理解をもたらすために含まれ、および本明細書に組み込まれ、かつその一部を構成する。
【００２５】
本発明の特徴、態様および利点は、添付図面を参照して以下の本発明の詳細な説明を読むと、より理解される。
【図面の簡単な説明】
【００２６】
【図１】本発明の実施形態による伸長可能なレッグレストを含む、固定シェル型乗客用座席の側面図である。
【図２】レッグレストが中央位置にある図１の座席を示す。
【図３】レッグレストが完全に展開されかつ伸長された図１の座席を示す。
【図４】図１に示す座席の裏側の詳細な図である。
【図５】図２に示す座席の裏側の詳細な図である。
【図６】図３に示す座席の裏側の詳細な図である。
【図７】ラックアンドピニオン機構を示すためのレッグレストの裏側の斜視図である。
【図８】ベルト・プーリー配置構成を含むレッグレスト伸長機構の第２の実施形態の斜視図である。
【発明を実施するための形態】
【００２７】
ここで、本発明の例示的な実施形態を示す添付図面を参照して、本発明をより詳細に説明する。しかしながら、本発明は、多くの異なる形態で供されてもよく、および本明細書で説明する代表的な実施形態に限定されるとみなされるべきではない。例示的な実施形態は、本開示が詳細かつ完全であり、および本発明の範囲を完全に伝え、および当業者が本発明を作製、使用および実施できるようにするように提供される。同様の参照符号は、様々な図面を通して同様の要素を指す。
【００２８】
図１〜７を参照すると、伸長可能なレッグレストの第１の実施形態が、全体的な参照符号２０で示されている。レッグレスト２０が航空機乗客用座席２４のシートボトム２２の前端の近くに旋回可能に取り付けられていることが示される。図示のような座席２４は、シートバック２６の後ろに位置している固定シェル２７内でおよびそれに対してリクライニングするように構成されたシートバック２６を含む、固定シェル型の航空機座席である。シートボトム２２は、図１に示すような、地上滑走、離着陸（ＴＴＯＬ）時用の直立の座位と、図３に示すような、完全にリクライニングした座位との間のシートバック運動を引き起こすように動かされ得る。シートボトム２２は、座席２４が直立状態からリクライニングした状態まで調整されると、前方におよび床に対してより低い位置へと平行移動し、それにより、それと一緒に、旋回可能に取り付けられたレッグレスト２０を動かし得る。
【００２９】
レッグレスト２０は、シートボトム２２の一方の端部に旋回可能に取り付けられおり、レッグレストは、座席２４の前側に対してほぼ垂直に収容された第１の位置と、図３に示すような、床に対してある角度、例えば、約３０〜４５度にある第２の位置との間で旋回するように構成される。レッグレストは、その収容された位置と完全に展開された位置との間で、角度的に、好ましくは無段式で展開して、レッグレストが、その動きの範囲に沿った任意の所望の角度で位置決めされ得る。レッグレスト２０は、座席のリクライニングとは無関係に、または座席のリクライニング運動と一緒に、展開し得る。図示のような固定シェル型の航空機乗客用座席で採用されると、レッグレストの展開は、シートバックのリクライニングが制限されかつこの特定の座席専用の居住空間がない結果、水平に達する寸前で止まり得る。個々の乗客スイートに見られる座席のようにできるフルフラット座席で採用されると、レッグレストは、好ましくは、水平まで展開して、ベッドの一部を形成するのを支援する。レッグレスト２０は、リクライニングできるように構成されていてもまたは構成されていなくてもよく、および可動シートボトムを含んでもまたは含まなくてもよい、様々な座席タイプに取り付けられ得る。
【００３０】
いずれの座席構成においても、レッグレスト２０は、角度展開するときに長さを伸長するように構成されている。換言すると、レッグレスト２０のクッション付き部分は、レッグレストがより水平の方へ角度運動すると、シートボトム２２から離れて、より遠くに動く。この長さ方向の伸長は、特に、より足の長い乗客に対して、レッグレストの快適さおよび使いやすさを高める。
【００３１】
レッグレスト２０は、一般的に、一緒に動く（すなわち、旋回する）平行のレッグレストレール２８、または「レール群」であって、各レールがシートボトム２２の一方の端部に旋回可能に取り付けられている、レールと、レッグレストレール２８上で摺動可能に動かされるクッションアセンブリ３０と、レッグレスト２０が角度展開するとレッグレストレール２８の長さに沿って移動するようにクッションアセンブリ３０を駆動するために配置されたラックアンドピニオン機構３２とを含む、アセンブリである。レッグレストは、さらに、レール２８を角度展開させるように配置されたロック用ガススプリング３４を含み得る。
【００３２】
ラックアンドピニオン機構３２は、平行に配置された内側および外側の歯付きスライドラック３６、３８を含む、歯付きスライドラック３６、３８は、ピニオンギア４０の直径方向における反対側の側面にかみ合わせられ、レッグレストが角度展開すると、クッション３０をレール２８に沿って駆動する。図４〜６に最もよく示すように、離間したタイミングリンク４２は、シートボトム２２に旋回可能に取り付けられ、レッグレストレール２８のピボット軸から離間したピボット軸の周りで旋回する。レッグレスト２０が角度展開すると、タイミングリンク４２は、内側の組のスライドラック３６を引き寄せて、ピニオンギア４０を一方向に回転させ、それにより、外側のスライドラック３８を、引き寄せとは反対方向に駆動して、クッション３０を、シートボトム２２から離すように動かす。換言すると、タイミングリンク４２は、レッグレストが角度展開すると、内側のレール３６をシートボトム２２の方へ引き寄せ、それにより、ピニオンギア４０を回転させて、外側のスライドラック３８を反対方向に駆動して、クッション３０を、シートボトム２２から離すように駆動させる。
【００３３】
外側のスライドラック３８は、クッション３０の下面のフレーム部材４４の内側の側面に固定されて、外側のスライドラック３８の運動によってクッション３０を動かすようにする。クッションフレームは、さらに、クッションの正方形を保つように配置されるとともに互いに離間した前および後の横ビーム４６、４８を含む。各レール２８において、内側のスライドラック３６はレール２８の長さに沿って摺動する。タイミングリンク４２は、各内側のスライドラック３６の内側の側面上に担持されるポスト５０に旋回可能に取り付けられる。内側のスライドラック３６上の歯は、外側のスライドラック３８上の歯に対面し、および２組のラックは、平行に維持され、かつそれらは互いに反対方向に摺動する。
【００３４】
レッグレスト２０が角度展開すると、タイミングリンク４２は、内側のスライドラック３６を引き寄せて、ピニオンギア４０を一方向（すなわち、時計回り）に回転させて、伸長するようにレッグレストを駆動する（すなわち、シートボトム２２から離れる方向へのクッションの移動）。レッグレスト２０が角度的に収容されると、タイミングリンク４２は、内側のスライドラック３６を押して、ピニオンギア４０を反対方向（すなわち、反時計回り）に回転させて、レッグレストを後退させる（すなわち、シートボトム２２の方へ向かう方向へのクッションの移動）。レッグレストの移動は、クッションが下部の支持構造に重なりかつそれに対して平行移動するため、伸縮自在であるとみなされ得る。
【００３５】
それぞれのラック３６、３８の歯およびピニオンギア４０は、クッションの伸長率をカスタマイズするために変更されて、いくつかの適用例において、より大きなまたはより小さな伸長をもたらし得る。伸長率は、タイミングリンク４２の長さおよび／またはレール２８のピボット軸に対するタイミングリンク４２のピボット軸の位置を変更することによって、調整され得る。
【００３６】
図４〜６に最もよく示すように、ロック用ガススプリング３４は、シートボトム２２とレール２８との間に配置されて、レッグレスト２０を角度展開するように駆動する。具体的には、ロック用ガススプリング３４は、シートボトム２２と、レッグレストレール２８の複数の端部を相互接続する横部材３５とに取り付けられる。図４に示すようにレッグレスト２０が収容されるとき、ロック用ガススプリング３４は圧縮され、かつ「チャージ」される（すなわち、ピストンが、シリンダー内に圧縮される）。図６に示すようにレッグレスト２０が展開されると、ガススプリング３４が伸長される。レッグレスト２０は、収容された位置の方向へとレッグレストを下へ押すことによって収容され、ガススプリング３４をチャージし、かつ、リリーススイッチを作動させることによって解放され得る。
【００３７】
ラックアンドピニオン機構は、レッグレスト２０の１つの側面に設けられても、または平行を維持するために両側面に設けられてもよい。代替的な実施形態では、ピニオンギア４０は、異なる率の一対の接合されたピニオンによって置き換えられ、より大きな伸長率を達成し得る。
【００３８】
図８を参照すると、伸長可能なレッグレストの第２の実施形態が、全体的な参照符号６０で示されている。この第２の実施形態は、第１の実施形態のラックアンドピニオン機構の代わりに、ベルト・プーリー配置構成を用いる。具体的には、タイミングリンク６２は、旋回するレッグレストレール６８上で回転可能に担持されるとともに垂直に向けられたプーリー６６に配置された歯付きコグベルト６４を駆動するために利用され得る。レール６８が角度展開すると、タイミングリンク６２は、回転するようにベルトを駆動し、それにより、クッションの運動を引き起こす。
【００３９】
上記の説明は、本発明の実施形態を例としてのみ提供する。他の実施形態が同様の機能を実施し得るおよび／または同様の結果を達成し得ることが想定される。そのような等価の実施形態および例のいずれもおよび全てが、本発明の範囲内にあり、および添付の特許請求の範囲によって網羅されるものとする。
【図１】
2017511273.tif 000003
【図２】
2017511273.tif 000004
【図３】
2017511273.tif 000005
【図４】
2017511273.tif 000006
【図５】
2017511273.tif 000007
【図６】
2017511273.tif 000008
【図７】
2017511273.tif 000009
【図８】
2017511273.tif 000010
【手続補正書】
【提出日】平成28年11月18日(2016.11.18)
【手続補正１】
【補正対象書類名】特許請求の範囲
【補正対象項目名】全文
【補正方法】変更
【補正の内容】
【特許請求の範囲】
【請求項１】
シートボトムと、
前記シートボトムに旋回可能に取り付けられたシートバックと、
前記シートボトムに旋回可能に取り付けられる伸長可能で角度展開可能なレッグレストと、を備え、
前記レッグレストは、
（ｉ）  前記シートボトムに旋回可能に取り付けられたレッグレストレールと、
（ｉｉ）  前記レッグレストレール上で動かされる移動式のクッションアセンブリと、
（ｉｉｉ）  前記レッグレストレールに沿って移動するようにクッションアセンブリを駆動するために配置されたラックアンドピニオン機構と、
（ｉｖ）  前記レッグレストの角度運動に応答して、前記ラックアンドピニオン機構を作動させるように配置された前記シートボトムに旋回可能に取り付けられたタイミングリンクと、を備える、航空機乗客用座席。
【請求項２】
前記レッグレストが角度展開することで、前記クッションアセンブリが前記シートボトムから離れるように駆動して前記レッグレストの長さを伸長するように、前記タイミングリンクが前記ラックアンドピニオン機構を作動させる、請求項１に記載の航空機乗客用座席。
【請求項３】
前記ラックアンドピニオン機構が、
前記クッションアセンブリに固定された外側の歯付きラックと、
１つの前記レッグレストレールに沿って摺動可能であるとともに前記タイミングリンクの一方の端部に旋回可能に取り付けられた内側の歯付きラックと、
前記外側の歯付きラックと内側の歯付きラックとの間に配置されたピニオンギアであって、前記ピニオンギアの回転によって、前記外側および内側の歯付きラックを互いに反対方向に動かす、ピニオンギアと、を備える、請求項１又は２に記載の航空機乗客用座席。
【請求項４】
前記タイミングリンクが、前記内側の歯付きラックの一側面に位置しているともに水平に向けられたポストの一方の端部に旋回可能に取り付けられている、請求項３に記載の航空機乗客用座席。
【請求項５】
前記シートボトムとレッグレストとの間に配置されたロック用ガススプリングを、さらに備え、
前記レッグレストを収容すると、前記ロック用ガススプリングが圧縮され、かつ、前記レッグレストを展開すると、前記ロック用ガススプリングが伸長される、請求項１から４のいずれか一項に記載の航空機乗客用座席。
【請求項６】
前記シートボトムへの前記レッグレストレールのピボット取付点が、前記シートボトムへの前記タイミングリンクのピボット取付点から離間している、請求項１から５のいずれか一項に記載の航空機乗客用座席。
【請求項７】
前記クッションアセンブリが、離間したフレーム部材の頂部に担持されるクッションと、前および後の横ビームチューブとを含む、請求項１から６のいずれか一項に記載の航空機乗客用座席。
【請求項８】
前記航空機の乗客用座席が、前記シートバックの後ろ側に位置している固定シェルを備える固定シェル型座席であり、
前記レッグレストは、水平の方へ角度展開する、請求項１から７のいずれか一項に記載の航空機乗客用座席。
【請求項９】
伸長可能で角度展開可能なレッグレストを含む、固定シェル型の航空機乗客用座席であって、
シートボトムと、
前記シートボトムに旋回可能に取り付けられたシートバックと、
前記シートバックの後ろ側に位置している固定シェルと、
前記シートボトムに旋回可能に取り付けられたレッグレストと、を備え、
前記レッグレストは、
（ｉ）  前記シートボトムに旋回可能に取り付けられるレッグレストレールと、
（ｉｉ）  前記レッグレストレール上で動かされる移動式のクッションアセンブリと、
（ｉｉｉ）  前記レッグレストレールに沿って移動するようにクッションアセンブリを駆動するために配置された移動機構と、
（ｉｖ）  レッグレストの角度運動に応答して、前記移動機構を作動させるように配置された前記シートボトムに旋回可能に取り付けられたタイミングリンクと、を備える、航空機乗客用座席。
【請求項１０】
前記レッグレストが角度展開することで、前記クッションアセンブリが前記シートボトムから離れるように駆動して前記レッグレストの長さを伸長するように、前記タイミングリンクが前記移動機構を作動させる、請求項９に記載の航空機乗客用座席。
【請求項１１】
前記移動機構は、ラックアンドピニオン機構であり、
前記移動機構は、
前記クッションアセンブリに固定された外側の歯付きラックと、
１個の前記レッグレストレールに沿って摺動可能であるとともに前記タイミングリンクの一方の端部に旋回可能に取り付けられる内側の歯付きラックと、
前記外側の歯付きラックと内側の歯付きラックとの間に配置されたピニオンギアであって、前記ピニオンギアの回転によって、前記外側および内側の歯付きラックを互いに反対方向に動かす、ピニオンギアと、を備える、請求項９又は１０に記載の航空機乗客用座席。
【請求項１２】
前記タイミングリンクが、前記内側の歯付きラックの一側面に位置しているともに水平に向けられたポストの一方の端部に旋回可能に取り付けられている、請求項１１に記載の航空機乗客用座席。
【請求項１３】
前記シートボトムとレッグレストとの間に配置されたロック用ガススプリングを、さらに備え、
前記レッグレストを収容すると、前記ロック用ガススプリングが圧縮され、かつ、前記レッグレストを展開すると、前記ロック用ガススプリングが伸長される、請求項９から１２のいずれか一項に記載の航空機乗客用座席。
【請求項１４】
前記シートボトムへの前記レッグレストレールのピボット取付点が、前記シートボトムへの前記タイミングリンクのピボット取付点から離間している、請求項９から１３のいずれか一項に記載の航空機乗客用座席。
【請求項１５】
前記クッションアセンブリが、離間したフレーム部材の頂部に担持されるクッションと、前および後の横ビームチューブとを含む、請求項９から１４のいずれか一項に記載の航空機乗客用座席。
【手続補正２】
【補正対象書類名】明細書
【補正対象項目名】００３９
【補正方法】変更
【補正の内容】
【００３９】
上記の説明は、本発明の実施形態を例としてのみ提供する。他の実施形態が同様の機能を実施し得るおよび／または同様の結果を達成し得ることが想定される。そのような等価の実施形態および例のいずれもおよび全てが、本発明の範囲内にあり、および添付の特許請求の範囲によって網羅されるものとする。
「以下の項目は、国際出願時の特許請求の範囲に記載の要素である。
（項目１）
シートボトムと、
前記シートボトムに旋回可能に取り付けられたシートバックと、
前記シートボトムに旋回可能に取り付けられる伸長可能で角度展開可能なレッグレストと、を備え、
前記レッグレストは、
（ｉ）  前記シートボトムに旋回可能に取り付けられたレッグレストレールと、
（ｉｉ）  前記レッグレストレール上で動かされる移動式のクッションアセンブリと、
（ｉｉｉ）  前記レッグレストレールに沿って移動するようにクッションアセンブリを駆動するために配置されたラックアンドピニオン機構と、
（ｉｖ）  前記レッグレストの角度運動に応答して、前記ラックアンドピニオン機構を作動させるように配置された前記シートボトムに旋回可能に取り付けられたタイミングリンクと、を備える、航空機乗客用座席。
（項目２）
前記レッグレストが角度展開することで、前記クッションアセンブリが前記シートボトムから離れるように駆動して前記レッグレストの長さを伸長するように、前記タイミングリンクが前記ラックアンドピニオン機構を作動させる、項目１に記載の航空機乗客用座席。
（項目３）
前記ラックアンドピニオン機構が、
前記クッションアセンブリに固定された外側の歯付きラックと、
１つの前記レッグレストレールに沿って摺動可能であるとともに前記タイミングリンクの一方の端部に旋回可能に取り付けられた内側の歯付きラックと、
前記外側の歯付きラックと内側の歯付きラックとの間に配置されたピニオンギアであって、前記ピニオンギアの回転によって、前記外側および内側の歯付きラックを互いに反対方向に動かす、ピニオンギアと、を備える、項目１に記載の航空機乗客用座席。
（項目４）
前記タイミングリンクが、前記内側の歯付きラックの一側面に位置しているともに水平に向けられたポストの一方の端部に旋回可能に取り付けられている、項目３に記載の航空機乗客用座席。
（項目５）
前記シートボトムとレッグレストとの間に配置されたロック用ガススプリングを、さらに備え、
前記レッグレストを収容すると、前記ロック用ガススプリングが圧縮され、かつ、前記レッグレストを展開すると、前記ロック用ガススプリングが伸長される、項目１に記載の航空機乗客用座席。
（項目６）
前記シートボトムへの前記レッグレストレールのピボット取付点が、前記シートボトムへの前記タイミングリンクのピボット取付点から離間している、項目１に記載の航空機乗客用座席。
（項目７）
前記クッションアセンブリが、離間したフレーム部材の頂部に担持されるクッションと、前および後の横ビームチューブとを含む、項目１に記載の航空機乗客用座席。
（項目８）
前記航空機の乗客用座席が、前記シートバックの後ろ側に位置している固定シェルを備える固定シェル型座席であり、
前記レッグレストは、水平の方へ角度展開する、項目１に記載の航空機乗客用座席。
（項目９）
伸長可能で角度展開可能なレッグレストを含む、固定シェル型の航空機乗客用座席であって、
シートボトムと、
前記シートボトムに旋回可能に取り付けられたシートバックと、
前記シートバックの後ろ側に位置している固定シェルと、
前記シートボトムに旋回可能に取り付けられたレッグレストと、を備え、
前記レッグレストは、
（ｉ）  前記シートボトムに旋回可能に取り付けられるレッグレストレールと、
（ｉｉ）  前記レッグレストレール上で動かされる移動式のクッションアセンブリと、
（ｉｉｉ）  前記レッグレストレールに沿って移動するようにクッションアセンブリを駆動するために配置された移動機構と、
（ｉｖ）  レッグレストの角度運動に応答して、前記移動機構を作動させるように配置された前記シートボトムに旋回可能に取り付けられたタイミングリンクと、を備える、航空機乗客用座席。
（項目１０）
前記レッグレストが角度展開することで、前記クッションアセンブリが前記シートボトムから離れるように駆動して前記レッグレストの長さを伸長するように、前記タイミングリンクが前記移動機構を作動させる、項目９に記載の航空機乗客用座席。
（項目１１）
前記移動機構は、ラックアンドピニオン機構であり、
前記移動機構は、
前記クッションアセンブリに固定された外側の歯付きラックと、
１個の前記レッグレストレールに沿って摺動可能であるとともに前記タイミングリンクの一方の端部に旋回可能に取り付けられる内側の歯付きラックと、
前記外側の歯付きラックと内側の歯付きラックとの間に配置されたピニオンギアであって、前記ピニオンギアの回転によって、前記外側および内側の歯付きラックを互いに反対方向に動かす、ピニオンギアと、を備える、項目９に記載の航空機乗客用座席。
（項目１２）
前記タイミングリンクが、前記内側の歯付きラックの一側面に位置しているともに水平に向けられたポストの一方の端部に旋回可能に取り付けられている、項目１１に記載の航空機乗客用座席。
（項目１３）
前記シートボトムとレッグレストとの間に配置されたロック用ガススプリングを、さらに備え、
前記レッグレストを収容すると、前記ロック用ガススプリングが圧縮され、かつ、前記レッグレストを展開すると、前記ロック用ガススプリングが伸長される、項目９に記載の航空機乗客用座席。
（項目１４）
前記シートボトムへの前記レッグレストレールのピボット取付点が、前記シートボトムへの前記タイミングリンクのピボット取付点から離間している、項目９に記載の航空機乗客用座席。
（項目１５）
前記クッションアセンブリが、離間したフレーム部材の頂部に担持されるクッションと、前および後の横ビームチューブとを含む、項目９に記載の航空機乗客用座席。
【国際調査報告】
2017511273.tif 000011
2017511273.tif 000012